(57)【要約】【課題】発電機能付きの電磁修正式電子時計で蓄電手段の電圧低下時における電磁修正においてなるべく蓄電手段の電圧が低下せず且つ利便性の高い電磁修正方法を提供する。【解決手段】電源１２と、外部操作スイッチ１４ａと、外部操作スイッチ１４ａを操作することにより時刻表示手段１０を駆動する表示駆動手段７、８、１６と、を備えた電子時計に於いて、電源１２の電圧が所定値以下になると検出信号を出力する電圧検出手段１３と、電圧検出手段１３の出力に基づき表示駆動手段７、８、１６の動作を禁止する駆動禁止手段１７を備え、駆動禁止手段１７は表示駆動手段７、８、１６の動作中に電圧検出手段１３が検出信号を出力しても表示駆動手段７、８、１６の動作禁止を行わない事を特徴とする。【選択図】  図１
2005134112.tif 000002
【特許請求の範囲】
【請求項１】
電源と、外部操作スイッチと、当該外部操作スイッチを操作することにより時刻表示手段を駆動する表示駆動手段と、を備えた電子時計に於いて、前記電源の電圧が所定値以下になると検出信号を出力する電圧検出手段と、当該電圧検出手段の出力に基づき前記表示駆動手段の動作を禁止する駆動禁止手段を備え、当該駆動禁止手段は前記表示駆動手段の動作中に前記電圧検出手段が検出信号を出力しても前記表示駆動手段の動作禁止を行わない事を特徴とする電子時計。
【請求項２】
前記スイッチ操作の操作終了後からカウント開始するカウンタを設け、当該カウンタの制御に基づき前記駆動禁止手段が動作する事を特徴とする請求項１記載の電子時計。
【請求項３】
前記外部操作スイッチの短時間操作と長時間操作に基づき前記表示駆動手段にそれぞれ異なる制御信号を出力するスイッチ信号作成手段を設け、前記長時間操作に基づく制御信号により前記駆動禁止手段は制御される事を特徴とする請求項１又は２に記載の電子時計。
【請求項４】
前記長時間操作に基づく制御信号の出力が停止されたタイミングで前記カウンタがリセットされる事を特徴とする請求項３記載の電子時計。
【請求項５】
発電手段を有し、前記電源は当該発電手段の出力する電力を蓄電する蓄電手段である事を特徴とする請求項１乃至４のいずれか一項に記載の電子時計。
【請求項６】
前記時刻表示手段は指針であり前記表示駆動手段は前記指針を駆動する指針駆動手段である事を特徴とする請求項１乃至５のいずれか一項に記載の電子時計。
【発明の詳細な説明】
【０００１】
【発明の属する技術分野】
本発明は電子時計に関する。
【０００２】
【従来の技術】
従来、発電手段で発電された電力を蓄電手段に蓄電を行い、これを電源として回路の駆動をおこない、また蓄電手段の電圧を検出し、運針のタイミングを変えるなどして蓄電手段の電圧の低下をユーザーに報知する電子時計は広く知られている。
【０００３】
この様な発電機能付きの時計では、蓄電手段の電圧が低下した場合、なるべく蓄電手段の電圧低下を防ぐために、付加機能などを禁止する事が望ましい。
【０００４】
一方、外部操作スイッチを操作する事により、モータを駆動させ時刻を電気的に修正するいわゆる電磁修正機能をそなえた電子時計も広く知られている。
【０００５】
【発明が解決しようとする課題】
上述のような発電機能付きの時計にこの電磁修正機能を付加した場合、蓄電手段の電圧を検出した場合は、電磁修正を禁止することで蓄電手段の電圧低下を防ぐことが望ましい。しかしながら、連続電磁修正を行っている時の電圧検出で、蓄電手段の電圧が規定値以下で有ることを検出してしまった場合に、電磁修正を解除してしまうと、時刻を正しく合わせることが出来なくなってしまう。
本発明は上記課題を解決し、電磁修正機能を備えた電子時計において確実な修正操作を可能としたシステムを提供することを目的とする。
【０００６】
【課題を解決するための手段】
上記目的を達成するために本発明は、電源と、外部操作スイッチと、当該外部操作スイッチを操作することにより時刻表示手段を駆動する表示駆動手段と、を備えた電子時計に於いて、前記電源の電圧が所定値以下になると検出信号を出力する電圧検出手段と、当該電圧検出手段の出力に基づき前記表示駆動手段の動作を禁止する駆動禁止手段を備え、当該駆動禁止手段は前記表示駆動手段の動作中に前記電圧検出手段が検出信号を出力しても前記表示駆動手段の動作禁止を行わない事を特徴とする。
【０００７】
【発明の実施の形態】
以下図面を用いて本発明の実施形態の一例を記述する。図１は本発明の一実施形態におけるシステム構成のブロック図である。図２は本発明の一実施形態における電磁修正を行わない状態で蓄電手段の電圧低下を検出した場合のタイムチャートである。図３は本発明の一実施形態における連続電磁修正中の電圧検出で蓄電手段の電圧低下を検出した場合のタイムチャートである。
【０００８】
先ず本発明の一実施形態のシステム構成を図１を用いて説明する。
本発明は、発振回路１と、発振回路１の発振信号を受ける分周回路２と、分周回路２で分周された信号をさらに２０秒周期信号Ｓ２０Ｓにする２０秒カウンタ３と、２０秒周期信号Ｓ２０Ｓの信号を更に分周して１分周期信号Ｓ１Ｍを作る１分カウンタ４と、１分周期の信号から使用者に充電を警告する運針である充電警告運針タイミング信号ＴＰを作成する充電警告運針タイミング作成回路５と、２０秒周期信号Ｓ２０Ｓと充電警告運針タイミング信号ＴＰを入力し運針の周期を選択して運針タイミング信号ＤＰを出力する運針周期選択回路６と、外部操作スイッチ１４ａと、外部操作スイッチ１４ａの操作から単発電磁修正信号ＣＳと分周回路２の分周信号を受けてスイッチが規定時間以上長く押されていた場合に連続電磁修正信号ＨＳを出力するスイッチ信号作成回路１４ｂと、単発電磁修正信号ＣＳと連続電磁修正信号ＨＳを入力し分周回路２と２０秒カウンタ３と１分カウンタ４をリセットするリセット信号ＲＳを作成するリセット信号作成回路１５と、単発電磁修正信号ＣＳと連続電磁修正信号ＨＳを入力しそれぞれに応じた修正パルスを出力する修正パルス作成回路１６と、修正パルス作成回路１６の出力と運針周期選択回路６の出力をＯＲ７ａを介して入力しモータ駆動用の波形を作成する波形整形回路７と、波形整形回路７で作成されたモータ駆動用の波形を入力してモータ９を駆動するモータ駆動回路８及びモータ駆動用のコイル８ａと、モータ９が駆動されることによって図示しない輪列を介して駆動される指針１０と、システム全体の駆動を行うための電力を発電する発電手段１１と、発電手段１１で発電された電力を蓄える蓄電手段１２と、蓄電手段１２の電圧の高低を検出し電圧検出信号ＢＤを作成する電圧検出回路１３と、入力Ｄ−ＦＦ１７ａとＡＮＤ１７ｂで構成され電圧検出信号ＢＤと連続修正信号ＨＳと運針タイミング信号ＤＰを入力し修正パルス作成回路１６とスイッチ信号作成回路の動作を禁止する修正パルス作成禁止回路１７で構成される。
【０００９】
先ず、図２を用いて、電磁修正を行っていない状態で電圧検出を行い、蓄電手段１２の電圧低下を検出した場合について説明を行う。
なお、本発明の一実施形態では、外部操作スイッチ１４ａをプッシュボタンとし、スイッチを押したとき（スイッチＯＮ）に”Ｈ”レベル、スイッチを離す（スイッチＯＦＦ）と”Ｌ”レベルがスイッチ信号作成回路にそれぞれ入力される。
【００１０】
本実施形態では指針１０は、蓄電手段１２の電圧が１．２５Ｖを超えているときは２０秒毎に指針１０を駆動する２０秒運針を行い、１．２５Ｖ以下では１分周期２５０ｍｓ間隔で３回連続運針をする充電警告運針を行う方式を採用している。また電圧検出回路１３が蓄電手段１２の電圧を検出するためのサンプリングは通常時では１分に一回、一分周期信号Ｓ１Ｍの立ち下がりから約５００ｍｓ前に行われ、その時に蓄電手段１２の電圧が１．２５Ｖ以下であることを検出した場合は、電圧検出信号ＢＤが”Ｈ”レベルになる。
【００１１】
先ず電圧検出回路１３が蓄電手段１２の電圧が１．２５Ｖを超えている場合について説明すると、電圧検出信号ＢＤは“Ｌ”レベルを出力し、運針周期選択回路６は２０秒周期信号Ｓ２０Ｓを運針タイミング信号ＤＰとして出力する。
また、波形整形回路７では２０秒周期の運針タイミング信号ＤＰを入力して、２０秒毎にモータ駆動信号を作成し、モータ駆動回路８からコイル８ａに出力される運針パルスは、２０秒周期信号Ｓ２０Ｓの立ち下がりと同タイミングで出力される。
なお波形整形回路７は電圧検出信号ＢＤの“Ｌ”レベルを入力して、モータの電圧に応じてモータ駆動を行いやすいモータ駆動信号を作成する。
【００１２】
ここで蓄電手段１２の電圧が１．２５Ｖ以下になると電圧検出信号ＢＤは“Ｈ”レベルとなる。この信号が運針周期選択回路６に入力されると、運針周期選択回路６では運針の周期をそれまでの２０秒周期信号Ｓ２０Ｓから充電警告運針タイミング作成回路５で作成される、１分周期信号Ｓ１Ｍの立ち下がりから、２５０ｍｓ間隔３回連続の充電警告運針タイミング信号ＴＰに切り替える。
すなわち運針タイミング信号ＤＰが２０秒周期信号Ｓ２０Ｓから、充電警告運針タイミング信号ＴＰになる。
これにより、モータ駆動回路８からコイル８ａに出力される運針パルスは、充電警告信号ＴＰの立ち下がりと同タイミングで出力する。
また、波形整形回路７では電圧検出信号ＢＤの“Ｈ”レベル入力し、電源電圧の低下に対してモータの駆動を行いやすいように、運針パルスの形状を、２０秒運針時のパルス形状から充電警告運針時のパルス形状に切り替える。
【００１３】
更に、電圧検出信号ＢＤはＡＮＤ１７ｂに入力される。
この時連続電磁修正を行っていない、すなわち連続電磁修正信号ＨＳが”Ｌ”レベルの場合、連続電磁修正信号ＨＳはインバータ１７ｃを介して”Ｈ”レベルになりＡＮＤ１７ｂに入力され、ＡＮＤ１７ｂのもう一方の入力である電圧検出信号ＢＤが”Ｈ”レベルなので、ＡＮＤ１７ｂの出力は”Ｈ”レベルになる。
ＡＮＤ１７ｂの”Ｈ”レベル出力はＤ−ＦＦ１７ａへのデータ入力部に入力され、Ｄ−ＦＦ１７ａは約５００ｍｓ後に出力される運針タイミング信号ＤＰ（この時は電圧検出信号ＢＤが”Ｈ”レベルであるので、運針タイミング信号ＤＰは充電警告タイミング信号ＴＰとなる）をクロックとして、運針タイミング信号ＤＰの立ち下がりでデータ入力部を読み込み、出力Ｑは”Ｈ”レベル信号としてラッチされる。
Ｄ−ＦＦ１７ａの”Ｈ”レベル出力をうけて、スイッチ信号作成回路１４と修正パルス作成回路１６の動作は禁止される。
以降電圧検出回路１３が蓄電手段１２の電圧が１．２５Ｖ以上を検出するまで、修正パルス作成回路１６とスイッチ信号作成回路１４は非動作となり電磁修正を禁止する。
【００１４】
次に図３を用いて、電磁修正を行っている最中の電圧検出で、蓄電手段１２の電圧低下を検出した場合について説明を行う。
【００１５】
外部操作スイッチ１４ａをＯＮすると、先ず単発電磁修正信号ＣＳが出力される。
単発電磁修正信号ＣＳは修正パルス作成回路１６に入力され、修正パルス作成回路１６は単発電磁修正信号ＣＳの立ち上がりに同期して１回だけ修正パルスを出力し、指針１０は一回だけ運針を行う。
単発電磁修正信号ＣＳを入力したリセット信号作成回路１５は単発電磁修正信号ＣＳの立ち上がり（外部操作スイッチ１４ａをＯＮしたとき）に同期して、分周回路２と２０秒カウンタ３と１分カウンタ４をリセットするリセット信号ＲＳを１回出力する。
これにより、以降の計時は単発電磁修正信号ＣＳの立ち上がりを起点として行われる様になる。
【００１６】
外部操作スイッチ１４ａが規定時間以上（本実施形態では１秒）ＯＮされ続けると、スイッチ信号作成回路１４は連続電磁修正信号ＨＳを出力する。
この連続電磁修正信号ＨＳは外部操作スイッチ１４ａがＯＦＦされるまで出力を続ける。
連続電磁修正信号ＨＳを入力した修正パルス作成回路では、連続電磁修正信号ＨＳの立ち上がりから立ち下がるまでのあいだ、規定周期毎（本実施形態では１６Ｈｚ毎）に連続して修正パルスを出力し、指針１０は１６Ｈｚ周期で連続して運針を行う。
さらに、連続電磁修正信号ＨＳを入力したリセット信号作成回路１５は連続電磁修正信号ＨＳの立ち下がり（外部操作スイッチ１４ａをＯＦＦしたとき）に同期して、分周回路２と２０秒カウンタ３と１分カウンタ４をリセットするリセット信号ＲＳを１回出力する。
これより、以降の計時動作は連続電磁修正信号の立ち下がりを起点として行われるようになる。
【００１７】
連続電磁修正中にも電圧検出回路１３は蓄電手段１２の電圧検出を行う。
本実施形態では連続電磁修正中は通常時と電圧検出のサンプリングタイミングを変えており、連続電磁修正中は連続電磁修正信号ＨＳが立ち上がってから、１２秒毎に電圧検出を行う。
この時の電圧検出で、蓄電手段１２の電圧低下を検出した場合は、電圧検出信号ＢＤが“Ｈ”レベルになり、通常時と同じように、運針周期選択回路６は２０秒周期信号Ｓ２０Ｓから充電警告運針タイミング信号ＴＰに切り替える。
すなわち運針タイミング信号ＤＰが２０秒周期信号Ｓ２０Ｓから、充電警告運針タイミング信号ＴＰになる。
但し、充電警告運針タイミングでの運針は連続電磁修正解除（外部操作スイッチ１４ａをＯＦＦ）後から１分後に出力される。
また、波形整形回路７は運針パルスの形状を、２０秒運針時のパルス形状から充電警告運針時のパルス形状に切り替える。
なお、運新パルスの形状は連続電磁修正中でも、電圧検出の直後に切り替えられる。
【００１８】
さらに、電圧検出信号ＢＤはＡＮＤ１７ｂに入力されるが、ＡＮＤ１７ｂのもう一方の入力である連続電磁修正信号ＨＳは”Ｈ”レベルのであり、連続電磁修正信号ＨＳはインバータ１７ｃを介して”Ｌ”レベルとなりＡＮＤ１７ｂに入力されるので、ＡＮＤ１７ｂの出力は連続電磁修正中では”Ｌ”レベルになる。
従って、Ｄ−ＦＦ１７ａのデータ入力も”Ｌ”レベルなのでＤ−ＦＦ１７ａの出力Ｑは”Ｌ”レベルであり、連続電磁修正中に蓄電手段１２の電圧低下を検出しても、スイッチ信号作成回路１４と修正パルス作成回路１６の動作は禁止されず、連続電磁修正を維持することが出来る。
【００１９】
蓄電手段１２の電圧低下を検出した状態で連続電磁修正を解除すると、先ず前述の如くリセット信号作成回路１５が連続電磁修正信号ＨＳの立ち下がりに同期してリセット信号ＲＳを出力し、分周回路２と２０秒カウンタ３と１分カウンタ４をリセットしされ、リセットしたタイミングを起点として計時を行う。
【００２０】
また、連続電磁修正信号ＨＳが”Ｌ”レベルとなり、インバータ１７Ｃを介して”Ｈ”レベルとなりＡＮＤ１７ｂに入力される。ＡＮＤ１７ｂのもう一方の入力である電圧検出信号ＢＤは”Ｈ”レベルであるから、ＡＮＤ１７ｂの出力は”Ｈ”レベルとなり、Ｄ−ＦＦ１７ａのデータ入力部に入力される。
しかしＡＮＤ１７ｂの出力が”Ｈ”レベルになった時点では、Ｄ−ＦＦ１７ａのクロックである、運針タイミング信号ＤＰはまだ”Ｈ”レベルに固定であるため、データ入力部は読み込まれない。
【００２１】
このとき、Ｄ−ＦＦ１７ａのクロックである運針タイミング信号ＤＰは、電圧検出信号ＢＤが“Ｈ”レベルであるので、２０秒周期信号Ｓ２０Ｓから充電警告運針タイミング信号ＴＰに切り替わっている。
【００２２】
前述したように、連続電磁修正を解除した時に、分周回路２と２０秒カウンタ３と１分カウンタ４をリセットされているので、運針タイミング信号ＤＰが“Ｈ”レベルから“Ｌ”レベルになるのは、連続修正を解除した時点から１分後ということになる。
すなわちＤ−ＦＦ１７ａのデータ入力の読み込みは、連続電磁修正を解除した時点から１分後に行われる。
よって、連続電磁修正の解除後から１分の間は再度電磁修正を行うことが可能である。
【００２３】
また、電磁修正を行うと、単発電磁修正でも連続電磁修正でも必ず分周回路２と２０秒カウンタ３と１分カウンタ４のリセットを行うため、電磁修正を行った後再度、電磁修正を行える１分間は、その都度更新されることになる。
【００２４】
電磁修正解除後に１分が経ち、運針タイミング信号ＤＰが“Ｈ”レベルから“Ｌ”レベルになった時点でＤ−ＦＦ１７ａはデータ入力部（“Ｈ”レベル）を読み込み、出力Ｑは“Ｈ”レベル信号としてラッチされる。
Ｄ−ＦＦ１７ａの“Ｈ”レベル出力をうけて、スイッチ信号作成回路１４と修正パルス作成回路１６の動作は禁止される。以降電圧検出回路１３が蓄電手段１２の電圧が１．２５Ｖ以上を検出するまで、修正パルス作成回路１６とスイッチ信号作成回路１４は非動作となり電磁修正を禁止する。
【００２５】
【発明の効果】
以上のように本発明では、電圧検出手段の出力に基づき表示駆動手段の動作を禁止する駆動禁止手段を備えたので、蓄電手段の電圧低下時に電磁修正を禁止することが出来るため蓄電手段の電圧低下を極力抑えることが出来る。
【００２６】
また駆動禁止手段は表示駆動手段の動作中に電圧検出手段が検出信号を出力しても表示駆動手段の動作禁止を行わないようにしたので、使用者が連続電磁修正を止めるまでは継続して行うことが出来る。
【００２７】
またスイッチ操作の操作終了後からカウント開始するカウンタを設け、カウンタの制御に基づき駆動禁止手段が動作するようにしたので、連続電磁修正操作を終了してから一定の期間は修正が可能となり使用者に混乱を招くことの無いシステムを提供出来る。
【００２８】
また外部操作スイッチの短時間操作と長時間操作に基づきパルス作成回路にそれぞれ異なる制御信号を出力するスイッチ信号作成手段を設け、長時間操作に基づく制御信号により駆動禁止手段を制御するようにしたので、連続電磁修正を行うときのみ修正操作を継続することが出来る。
【図面の簡単な説明】
【図１】本発明の一実施形態を示すシステムブロック図である。
【図２】本発明の一実施形態における電磁修正を行わない場合のタイムチャートである。
【図３】本発明の一実施形態における電磁修正を行った場合のタイムチャートである。
【符号の説明】
１  発振回路
２  分周回路
３  ２０秒カウンタ
４  １分カウンタ
５  充電警告運針タイミング作成回路
６  運針周期選択回路
７  波形整形回路
８  モータ駆動回路
１０  指針
１１  発電手段
１２  蓄電手段
１３  電圧検出回路
１４ａ  外部操作スイッチ
１４  スイッチ信号作成回路
１５  リセット信号作成回路
１６  修正パルス作成回路
１７  修正パルス作成禁止回路
【図１】
2005134112.tif 000003
【図２】
2005134112.tif 000004
【図３】
2005134112.tif 000005